(57)【要約】【課題】従来の携帯型収納バッグは主に袋に入れるもの、折りたたんでバッグ口カバーで留めてコンパクトにしまえるようにしたものなどが知られているが、本発明は単に折りたたんでコンパクトに収納するだけでなく、装飾性と便利性を高めた携帯型収納バッグを提供する。【解決手段】取っ手兼絞り紐（またはそれぞれを）をバッグの網目やバッグに施した穴または、紐通しに通して本体収納部を絞り花形にすることを特徴とした携帯型収納バッグである。【選択図】図１
2009039499.tif 000002
【特許請求の範囲】
【請求項１】
本体収納部に施した取っ手兼絞り紐（左右２本に分けても１本でも良い）または、それぞれを紐通しに通して絞り、本体を花形にして装飾品としての機能をも持たせた携帯バッグを提供する。この絞り紐は、取っ手を兼ねても取っ手を別に設けて絞り専用としてもどちらでも良く、取っ手は幅を広げられるようにすると食い込まずに持ちやすい。着脱式の絞り紐は絞り紐引き出し部（端）を本体収納部の上下どちらにも設定できるので、上で縛ればカバンの口の留め具の代わりまた、取っ手とは別に本体収納部の上部または、下部など収納部に固定しても良い。本発明品は、絞り紐で本体を絞ることで内容物が少ない時は本体を縮小でき、内容物が多かったり大きい時は本体を大きくして使用でき、収納時には二つ折りにして取っ手を絞ると花形になる。
【請求項２】
本体収納部の縦横に紐を施した場合には、横紐を絞れば瓶など縦長の物でも固定されて、安定感が増す。また、着脱可能な取っ手は留め具を利用することで色々な形態に変えられるため、手提げカバンとしてだけでなくリュックや巾着などとしても使用可能である。特に、バッグ本体の素材には拘らないが、より小さく携帯するためには丈夫な極薄素材やメッシュ、伸縮性のある素材を使用するとより小さくなり更に、本体収納部をフリルで２重、３重にするとより花らしく華やかになる。その他には収納部及び、フリルの縁に管を通すと張りを出て本体を絞った時により綺麗な花形が出来上がる。また、大きいサイを小さく収納するためには大体Ａ４ほどの大きさでは二つ折りにして、それ以上のＢ４などの場合には３つ折にして収納するようにすると良い。大きいサイズでフリルを施す時には、請求項１の実施形態の真ん中にフリルを施して取っ手とは別に絞り紐を設けて三つ折りにして収納すると小さくなる。
【発明の詳細な説明】
【技術分野】
【０００１】  本発明は、バッグの素材や形態に関する。
【背景技術】
【０００２】  従来の折りたたみ式の携帯型収納バッグは主に袋に入ったもの、折りたたんでバッグ口カバーで留めてコンパクトにしまえるようにしたものなどが知られている。しかし、一見して何の変哲も無いものでありまた、一度取り出すと元通りに綺麗に収納するのが難しく面倒であった。
【特許文献１】
【非特許文献１】
【発明の開示】
【発明が解決しようとする課題】
【０００３】  そこで本発明の技術的課題は、単に折りたたんでコンパクトに収納するだけでなく装飾性、利便性を高かめた携帯型収納バッグを提供する。
【課題を解決するための手段】
【０００４】  上記課題を達成するための第１の実施形態の携帯型収納バッグは、取っ手をバッグ本体に固定せずバッグの網目やバッグに施した穴または、紐通しから取っ手兼絞り紐を引き出せる様にして紐を絞り、バッグを花形にすることを特徴としたものである。この時の取っ手兼絞り紐は１本でも２本を留め具でつなげてもどちらでも良い。また、従来の携帯型収納バッグ同様に折りたたんでコンパクトに携帯することも可能である。この時、本体収納部分全体をメッシュや伸縮素材で作るまたは、縦横にゴムや紐を施して伸縮させることで未使用時はよりコンパクトにまた、使用時には一定量を収納でき嵩張らない様にできる。例えば、市販のバッグに瓶だけを入れると収まりが悪くて持ち難いが、本発明品によれば横紐を絞ることで幅を調節できるため、瓶１つでも袋の中で倒れず動かず安定した状態を保てる。【０００５】  また、上記構成を有する第１の実施形態の携帯型収納バッグは、本体の素材に網状の物を使用した時に中が見え無いようにするための裏地を当てても良いが、その場合のバッグ本体の素材はできるだけ丈夫で薄いものを使用して、本体収納部裏表の２枚を縫い合わせて紐通し部分を作る。また、本体収納部及びフリルの縁に弾力のある管を通すと、本体を絞った時にもたつかずに綺麗なうねりができより花びらが際立つ。【０００６】  また、本体の取っ手及び絞り紐を着脱可能にすることで好みの型に自在に付け替える事が可能である。例えば、取っ手をバッグの出し入れ口に平行に付けたり渡したりまたは、上下の留め具に取り付けてリュックなどとしても使用可能である。他に、収納部上部の口紐を絞り上下の留め具に留めて簡易バックパックなどとしても使用できる。【０００７】  また、第１の課題解決手段のその他の実施形態として本体を絞るだけでも良いが、収納部分片面または、両面を２重にすると本体を絞った時により花びらが際立ち花らしくなる。【０００８】  また、第２の課題解決手段は、第１の課題解決手段の携帯型収納バッグと基本的な作りは変わらないが、本体収納部に取っ手を固定してそれとは別に絞り用の紐通しを施してバッグを絞れるようにしたものである。【０００９】  上記の第１、２の課題解決手段による作用は次の通りである。すなわち、本発明の携帯型収納バッグは折りたたんでコンパクトに収納できるだけでなく、装飾性も兼ね備える。
【発明の効果】
【００１０】  以上に詳述したように、本発明の第１の実施形態の携帯型収納バッグは、単にコンパクトに収納できるだけでなく、本体を花形の装飾品として持ち歩くことができる。また、フリルや本体収納部に芯を施することで、花びらが際立つ。結果、見た目や嵩張ることを気にして市販の買い物袋を持ち歩くことを嫌う人にも持ちやすく地球環境保護にも役立つ。【００１１】  また、本発明の実施形態の携帯型収納バッグは、装飾品としての機能と同時に必要に応じてバッグ本体の大きさを調節する事ができる機能を持ち合わせる。更に、取っ手を自由に付け替え可能にしたことで取っ手の形態を変更できる為、何通りもの使い方ができる。例えば、リュックとして使用するなど。
【発明の実施をするための最良の形態】
【００１２】  以下、本発明の実施の形態を図１〜図４に基づいて説明する。
【００１３】  図においては、１Ａ、１Ｂ、１Ｃ、１Ｄ、１Ｅ、１Ｆは本発明のバッグで、収納部２、取っ手兼絞り紐３、紐通し４、取っ手５、絞り紐６、留め具７ａ、ｂ、ｃ、ｄ、紐８、フリル９とからなる。
【００１４】  以下、上記構成を説明する。本発明の携帯型収納バッグ１Ａは、本体収納袋２の網目または紐通し穴に取っ手兼絞り紐３を通すまたは、収納部側面４ヶ所に紐通し４を施し１本の取っ手兼絞り紐３を設けたバッグである。また１Ｂは、本体収納部２に取っ手５を縫い付けるまたは、留め具７ａ、ｂで着脱できるようにして取っ手５と絞り紐６とを分けたものである。１Ｃは、基本的な作りは１Ａと同じだが取っ手兼絞り紐３に留め具７ｃ、ｄ、収納部に留め具７ｅを施すことで、リュックやバックパックなどとして利用できるようにしたものでまた、携帯型収納バッグ１Ａにフリル９を施して２重にしたものである。１Ｄは、本発明の携帯型収納バッグ１Ａの取っ手兼絞り紐３を絞ったものである。１Ｅは、本発明の携帯型収納バッグ１Ａの取っ手兼絞り紐３を絞って最小にしたものである。１Ｆは、１Ａの取っ手兼絞り紐３を絞り収納した時のものである。
【図面の簡単な説明】
【００１５】
【図１】本発明の第１の実施形態を示すバッグの正面図
【図２】本発明の第１のその他の実施形態を示すバッグの正面図
【図３】本発明の第１のその他の実施形態をフリルで２重にしたバッグの正面図
【図４】本発明の第１の実施形態の縮小図
【図５】本発明の第１の実施形態のバッグの最小形（収納形）
【図６】本発明の第１の実施形態のバッグの収納時
【符号の説明】
【００１６】  １Ａ、Ｂ、Ｃ、Ｄ、Ｅ、Ｆ  バッグ本体              ６          絞り紐
２                収納部                          ７ａ、ｂ、ｃ、ｄ    留め具
３                取っ手兼絞り紐                  ８          紐
４                紐通し                          ９          フリル
５                取っ手
【図１】
2009039499.tif 000003
【図２】
2009039499.tif 000004
【図３】
2009039499.tif 000005
【図４】
2009039499.tif 000006
【図５】
2009039499.tif 000007
【図６】
2009039499.tif 000008